(57)【要約】【課題】高い汎用性を確保しつつ、容易、かつ、精度よく、磁気ストライプの位置合わせができる媒体処理装置及び媒体処理方法を提供する。【解決手段】媒体処理装置１は、処理対象媒体を第１方向に搬送する搬送手段４２と、処理対象媒体に対して磁気処理を行う磁気処理手段と、前記処理対象媒体を、前記第１方向に交差する第２方向に幅寄移動させる幅寄ローラ５８と、処理対象媒体が通過する通過領域内において磁気処理手段４５との位置関係が一定となる所定位置に配置される第１状態と通過領域外に退避する第２状態とにおいて移動可能に構成され、処理対象媒体が磁気処理対象媒体１０，２０である場合に前記第１状態となり幅寄せの際に処理対象媒体１０，２０の位置を規制するとともに、処理対象媒体が磁気処理対象媒体でない場合に前記第２状態となり規制を解除する規制部材としてのシャッタ機構５９と、を備えたことを特徴とする。【選択図】図３
2008310592.tif 000002
【特許請求の範囲】
【請求項１】
磁気ストライプを有する磁気処理対象媒体を含む複数種類の処理対象媒体に対して処理可能な媒体処理装置であって、
前記処理対象媒体を所定の搬送路に沿って第１方向に搬送する搬送手段と、
前記処理対象媒体が前記磁気処理対象媒体である場合に前記磁気処理対象媒体に設けられた磁気ストライプに対して磁気処理を行う磁気処理手段と、
前記処理対象媒体を、前記第１方向に交差する第２方向に幅寄移動させる幅寄手段と、
前記処理対象媒体が通過する通過領域内において前記磁気処理手段との位置関係が一定となる所定位置に配置される第１状態と前記通過領域外に退避する第２状態とにおいて移動可能に構成され、前記処理対象媒体が前記磁気処理対象媒体である場合に前記第１状態となり前記幅寄せの際に前記処理対象媒体の位置を規制するとともに、前記処理対象媒体が前記磁気処理対象媒体でない場合に前記第２状態となり前記規制を解除する規制部材と、
を備えたことを特徴とする媒体処理装置。
【請求項２】
磁気ストライプを有する磁気処理対象媒体を含む複数種類の処理対象媒体に対して処理可能な媒体処理装置であって、
前記処理対象媒体を所定の搬送路に沿って第１方向に搬送する搬送手段と、
前記処理対象媒体が前記磁気処理対象媒体である場合に前記磁気処理対象媒体に設けられた磁気ストライプに対して磁気処理を行う磁気処理手段と、
前記処理対象媒体を、前記第１方向に交差する第２方向に幅寄移動させる幅寄手段と、
前記処理対象媒体が搬送される通過領域内において前記磁気処理手段との位置関係が一定となる所定位置に配置される第１状態と、前記通過領域外に退避する第２状態とにおいて移動可能に構成された規制部材と、
前記処理対象媒体が前記磁気処理対象媒体である場合に前記規制部材を前記第１状態とし、前記処理対象媒体が前記磁気処理対象媒体でない場合に前記規制部材を前記第２状態とする制御手段と、を備え、
前記制御手段は、前記処理対象媒体が前記磁気処理対象媒体である場合に、前記磁気処理の際に、前記幅寄手段により前記処理対象媒体を移動し、前記規制部材に当接させて前記処理対象媒体の位置合わせを行うことを特徴とする媒体処理装置。
【請求項３】
さらに、前記搬送路の前記第２方向における一方側の端部に設けられ、前記処理対象媒体の位置を規制するガイド部と、
前記搬送路に沿って設けられ、前記処理対象媒体に所定の処理をする媒体処理手段と、を備え、
前記幅寄手段は、前記処理対象媒体を前記第２方向において前記一方側または他方側に前記処理対象媒体を移動可能であり、
前記制御手段は、前記媒体処理手段による前記所定の処理の際に、前記処理対象媒体を前記一方側に配置するとともに前記ガイド部に当接させて前記一方側を基準に位置合わせを行い、磁気処理手段による磁気処理の際には前記処理対象媒体を前記他方側に配置するとともに前記規制部材に当接させて前記他方側を基準に位置合わせを行うことを特徴とする請求項２記載の媒体処理装置。
【請求項４】
前記処理対象媒体は、前記他方側の端部から前記磁気ストライプまでの位置が等しく設定された複数の磁気処理対象媒体を含み、
前記規制部材と前記ガイド部との距離は、前記複数の磁気処理対象媒体のうち前記第２方向の幅が最も大きい磁気処理対象媒体の幅よりも大きく、かつ、前記規制部材は、前記搬送路の前記他方側の端部よりも前記一方側に位置することを特徴とする請求項３記載の媒体処理装置。
【請求項５】
前記規制部材は、上下方向に移動可能に構成され、前記第１状態では前記搬送路の上方に突出し、前記第２状態では下方に位置して前記通過領域から退避することを特徴とする請求項１乃至４のいずれかに記載の媒体処理装置。
【請求項６】
前記規制部材は横臥起立可能に構成され、前記第１状態では起立して前記搬送路の上方に突出するとともに、前記第２状態では横臥して前記通過領域から退避することを特徴とする請求項１乃至４のいずれかに記載の媒体処理装置。
【請求項７】
磁気ストライプを有する磁気処理対象媒体を含む複数種類の処理対象媒体に対して磁気処理可能な媒体処理方法であって、
前記処理対象媒体を所定の搬送路に沿って第１方向に搬送する工程と、
前記磁気処理対象媒体に設けられた磁気ストライプに対して、磁気処理を行う工程と、
前記処理対象媒体が搬送される通過領域内において前記磁気処理が行われる部分との位置関係が一定となる所定位置に配置される第１状態と、前記通過領域外に退避する第２状態とにおいて移動可能に構成された規制部材を、前記処理対象媒体が前記磁気処理対象媒体である場合に前記第１状態とし、前記処理対象媒体が前記磁気処理対象媒体でない場合に前記第２状態となるように制御する工程と、
前記処理対象媒体が前記磁気処理対象媒体である場合に、前記処理対象媒体を前記第１方向に交差する第２方向に幅寄移動させ、前記処理対象媒体が前記第１状態の前記規制部材に当接して位置合わせされた状態で、前記磁気処理を行うことを特徴とする媒体処理方法。
【請求項８】
さらに、前記搬送路に沿って設けられた媒体処理手段により、前記処理対象媒体に所定の処理をする工程と、
前記処理対象媒体の位置を検出する工程と、を備え、
前記磁気処理の際に前記処理対象媒体を前記他方側に配置するとともに前記第１状態の規制部材に当接させて位置合わせが行われ、
前記位置の検出結果に応じて、前記処理対象媒体が前記一方側を基準とした所定位置から外れている場合には、前記所定の処理の際に、前記搬送路の前記第２方向における前記一方側の端部に設けられて前記処理対象媒体の位置を規制するガイド部に、前記処理対象媒体を当接させて、前記処理対象媒体の位置合わせが行われることを特徴とする請求項７記載の媒体処理方法。
【発明の詳細な説明】
【技術分野】
【０００１】
本発明は、通帳等の処理対象媒体に対して各種処理を行う媒体処理装置及び媒体処理方法に関し、特に複数種類の処理対象媒体に対応できるものに関する。
【背景技術】
【０００２】
金融機関の取扱い窓口やＡＴＭ（自動預金支払機）等に設置された媒体処理装置において、通帳等の処理対象媒体に設けられた磁気情報を格納する磁気ストライプに対して読取処理や書込処理を行う媒体処理装置が知られている。この媒体処理装置は、処理対象媒体が吸入され、排出される吸入排出口と、この吸入排出口に連通した所定の搬送経路に沿って通帳を搬送する搬送手段を備え、この搬送経路に沿って、磁気処理部、印字部、改頁部等の各種処理部が設けられている。搬送手段は、搬送経路に沿う搬送路と、この搬送路の幅方向両端部に設けられて処理対象媒体の位置を規制するガイド部と、搬送路上における処理対象媒体の位置を移動させてガイド部に突き当てて位置合わせを行う幅寄せ手段とを備えて構成されている（例えば、特許文献１参照）。このような媒体処理装置では、汎用性を向上させるために、例えば通帳等の磁気ストライプを有する冊子状の処理対象媒体、Ｂ５サイズ、Ａ４サイズ等の複数種類のシート状の紙処理対象媒体、磁気ストライプを備えない冊子状の処理対象媒体など、多種の処理対象媒体をその処理対象とするものが提供されている。近年、金融機関で用いられる通帳はその形状やサイズが多種存在するが、複数種類の通帳についてその磁気ストライプの位置が一定に規定されたものがあり、例えば、通帳の背表紙における端部から磁気ストライプまでの距離が規定されているものがある。
【特許文献１】特開２００７−２５９８３号公報
【発明の開示】
【発明が解決しようとする課題】
【０００３】
しかしながら上述の技術には次のような問題があった。すなわち、上記のように、多種の処理対象媒体に対応する媒体処理装置においては、その搬送路の幅は大型の処理対象媒体の形状や幅に合わせて設定される。このため、搬送路の両端のガイド間の距離は大きく設定される傾向がある。この場合、磁気ストライプの形成位置の基準となる端部と、幅寄せの際にガイドに突き当てられる端部とが異なる場合には、磁気ストライプの位置合わせが困難となる。すなわち、例えば印字等の各種処理の際に例えば左側などの一方の端部に寄せて処理を行うものにおいて、磁気ストライプの位置が右側の端部からの距離で規定されている場合には、搬送路の一方側から処理対象媒体を移動させて他方側のガイド部に突き当ててその磁気ストライプを所定箇所に配置する必要が生じる。したがって、搬送路の幅が広く、ガイド部同士の距離が大きいと、位置合わせのための移動距離が長く、時間がかかるとともに、精度よく位置を合わせることが困難となる。
【０００４】
そこで、本発明は、高い汎用性を確保しつつ、容易、かつ、精度よく、磁気ストライプの位置合わせができる媒体処理装置及び媒体処理方法を提供することを目的とする。
【課題を解決するための手段】
【０００５】
本発明の一例に係る媒体処理装置は、磁気ストライプを有する磁気処理対象媒体を含む複数種類の処理対象媒体に対して処理可能な媒体処理装置であって、前記処理対象媒体を所定の搬送路に沿って第１方向に搬送する搬送手段と、前記処理対象媒体が前記磁気処理対象媒体である場合に前記磁気処理対象媒体に設けられた磁気ストライプに対して磁気処理を行う磁気処理手段と、前記処理対象媒体を、前記第１方向に交差する第２方向に幅寄移動させる幅寄手段と、前記処理対象媒体が通過する通過領域内において前記磁気処理手段との位置関係が一定となる所定位置に配置される第１状態と前記通過領域外に退避する第２状態とにおいて移動可能に構成され、前記処理対象媒体が前記磁気処理対象媒体である場合に前記第１状態となり前記幅寄せの際に前記処理対象媒体の位置を規制するとともに、前記処理対象媒体が前記磁気処理対象媒体でない場合に前記第２状態となり前記規制を解除する規制部材と、を備えたことを特徴とする。
【０００６】
本発明の一例に係る媒体処理装置は、磁気ストライプを有する磁気処理対象媒体を含む複数種類の処理対象媒体に対して処理可能な媒体処理装置であって、前記処理対象媒体を所定の搬送路に沿って第１方向に搬送する搬送手段と、前記処理対象媒体が前記磁気処理対象媒体である場合に前記磁気処理対象媒体に設けられた磁気ストライプに対して磁気処理を行う磁気処理手段と、前記処理対象媒体を、前記第１方向に交差する第２方向に幅寄移動させる幅寄手段と、前記処理対象媒体が搬送される通過領域内において前記磁気処理手段との位置関係が一定となる所定位置に配置される第１状態と、前記通過領域外に退避する第２状態とにおいて移動可能に構成された規制部材と、前記処理対象媒体が前記磁気処理対象媒体である場合に前記規制部材を前記第１状態とし、前記処理対象媒体が前記磁気処理対象媒体でない場合に前記規制部材を前記第２状態とする制御手段と、を備え、前記制御手段は、前記処理対象媒体が前記磁気処理対象媒体である場合に、前記磁気処理の際に、前記幅寄手段により前記処理対象媒体を移動し、前記規制部材に当接させて前記処理対象媒体の位置合わせを行うことを特徴とする。
【０００７】
本発明の一例に係る媒体処理装置は、さらに、前記搬送路の前記第２方向における一方側の端部に設けられ、前記処理対象媒体の位置を規制するガイド部と、前記搬送路に沿って設けられ、前記処理対象媒体に所定の処理をする媒体処理手段と、を備え、前記幅寄手段は、前記処理対象媒体を前記第２方向において前記一方側または他方側に前記処理対象媒体を移動可能であり、前記制御手段は、前記媒体処理手段による前記所定の処理の際に、前記処理対象媒体を前記一方側に配置するとともに前記ガイド部に当接させて前記一方側を基準に位置合わせを行い、磁気処理手段による磁気処理の際には前記処理対象媒体を前記他方側に配置するとともに前記規制部材に当接させて前記他方側を基準に位置合わせを行うことを特徴とする。
【０００８】
本発明の一例に係る媒体処理装置は、前記処理対象媒体は、前記他方側の端部から前記磁気ストライプまでの位置が等しく設定された複数の磁気処理対象媒体を含み、前記規制部材と前記ガイド部との距離は、前記複数の磁気処理対象媒体のうち前記第２方向の幅が最も大きい磁気処理対象媒体の幅よりも大きく、かつ、前記規制部材は、前記搬送路の前記他方側の端部よりも前記一方側に位置することを特徴とする。
【０００９】
本発明の一例に係る媒体処理装置は、前記規制部材は、上下方向に移動可能に構成され、前記第１状態では前記搬送路の上方に突出し、前記第２状態では下方に位置して前記通過領域から退避することを特徴とする。
【００１０】
本発明の一例に係る媒体処理装置は、前記規制部材は横臥起立可能に構成され、前記第１状態では起立して前記搬送路の上方に突出するとともに、前記第２状態では横臥して前記通過領域から退避することを特徴とする。
【００１１】
本発明の一例に係る媒体処理方法は、磁気ストライプを有する磁気処理対象媒体を含む複数種類の処理対象媒体に対して磁気処理可能な媒体処理方法であって、前記処理対象媒体を所定の搬送路に沿って第１方向に搬送する工程と、前記磁気処理対象媒体に設けられた磁気ストライプに対して、磁気処理を行う工程と、前記処理対象媒体が搬送される通過領域内において前記磁気処理が行われる部分との位置関係が一定となる所定位置に配置される第１状態と、前記通過領域外に退避する第２状態とにおいて移動可能に構成された規制部材を、前記処理対象媒体が前記磁気処理対象媒体である場合に前記第１状態とし、前記処理対象媒体が前記磁気処理対象媒体でない場合に前記第２状態となるように制御する工程と、前記処理対象媒体が前記磁気処理対象媒体である場合に、前記処理対象媒体を前記第１方向に交差する第２方向に幅寄移動させ、前記処理対象媒体が前記第１状態の前記規制部材に当接して位置合わせされた状態で、前記磁気処理を行うことを特徴とする。
【００１２】
本発明の一例に係る媒体処理方法は、さらに、前記搬送路に沿って設けられた媒体処理手段により、前記処理対象媒体に所定の処理をする工程と、前記処理対象媒体の位置を検出する工程と、を備え、前記磁気処理の際に前記処理対象媒体を前記他方側に配置するとともに前記第１状態の規制部材に当接させて位置合わせが行われ、前記位置の検出結果に応じて、前記処理対象媒体が前記一方側を基準とした所定位置から外れている場合には、前記所定の処理の際に、前記搬送路の前記第２方向における前記一方側の端部に設けられて前記処理対象媒体の位置を規制するガイド部に、前記処理対象媒体を当接させて、前記処理対象媒体の位置合わせが行われることを特徴とする。
【発明の効果】
【００１３】
かかる手段を講じた本発明によれば、高い汎用性を確保しつつ、容易、かつ、精度よく、磁気ストライプの位置合わせができる。
【発明を実施するための最良の形態】
【００１４】
［第１実施形態］  
以下に本発明の第１実施形態にかかる処理装置としての媒体処理装置１及び媒体処理方法について、図１乃至図４を参照して説明する。なお、各図において適宜構成を拡大、縮小、省略して概略的に示している。各図中の矢印Ｘ、Ｙ、Ｚは互いに直交する三方向を示している。
【００１５】
媒体処理装置１は、例えば取扱い窓口での帳票処理端末やＡＴＭ（自動預金支払機）に搭載され、通帳や伝票、シート等を含む複数種の処理対象媒体に対して印字などの各種処理を行うものである。
【００１６】
まず、この媒体処理装置１で扱われる処理対象媒体の１つである第１処理対象媒体１０について説明する。図１乃至図４に示す第１処理対象媒体１０は、例えば金融機関で用いられる通帳であり、表紙１１と、背表紙１２と、これら表紙１１と背表紙１２との間の内部の複数の記号頁１３とを備え、冊子状に構成されている。第１処理対象媒体１０は所定の長さＬ１と幅Ｗ１を有する横長の長方形状を成している。表紙１１には、取り扱い金融機関名などの文字情報（不図示）が記載され、背表紙１２には、所定の位置、方向、形状、トラック数、密度、記録方式、読み取り方式及び仕様等を有する磁気ストライプ１４が貼り付けられている。この磁気ストライプ１４には、利用者の口座番号や記録ページ番号に関する磁気情報が記録されている。磁気ストライプ１４は、第１処理対象媒体１０の右側端部１５（他方側の端部）から所定距離ｄ１だけ離間して右側端部１５よりも左側に位置し、搬送方向Ａに沿う第１方向に延びて形成されている。右側の端部１５と磁気ストライプ１４との距離は一定値ｄ１に設定されている。また、各記号頁１３の所定位置には頁番号を識別するためのページマークなどの文字情報（不図示）が印刷されている。
【００１７】
本実施形態の処理装置で用いられる処理対象媒体の一例としての第２処理対象媒体２０は図５及び図６に示すように、所定の長さＬ２と幅Ｗ２を有する正方形状を成している。幅Ｗ２は第１処理対象媒体１０の幅Ｗ１よりも小さい。第２処理対象媒体２０は冊子状の通帳であり、第１処理対象媒体１０と同様に、表紙２１、背表紙２２、記号頁２３、磁気ストライプ２４等を備えて冊子状に構成されている。磁気ストライプ２４は、第２処理対象媒体２０の右側端部２５（一方側の端部）から所定距離ｄ２だけ離間して、右側端部２５よりも左側に位置し、搬送方向Ａに沿う第１方向に延びて形成されている。右側端部２５と磁気ストライプ２４との距離は一定値ｄ２に設定されている。ここで、第２処理対象媒体２０の右側端部２５と磁気ストライプ２４との距離ｄ２は、第１処理対象媒体１０の右側端部１５と磁気ストライプ１４との間の距離ｄ１と等しくなるように設定されている。
【００１８】
本実施形態の媒体処理装置１で用いられる処理対象媒体の一例としての第３処理対象媒体３０は、図７及び図８に示すように、所定の長さＬ３及び所定の幅Ｗ３を有するＡ４サイズの一枚のシート状の用紙で構成されている。この第３処理対象媒体３０には、磁気ストライプが形成されていない。
【００１９】
媒体処理装置１は、処理対象媒体１０、２０，３０を吸入および排出する吸入排出口４１と、吸入排出口４１と連なる所定の経路に沿って処理対象媒体を搬送する搬送手段４２と、処理対象媒体１０、２０，３０の位置を検出する光学式センサ４３と、ユーザにより各種情報が入力される入力部４４、処理対象媒体１０、２０に設けられた磁気ストライプ１４、２４に対して磁気情報の読取処理や書込処理を行う磁気処理部４５と、処理対象媒体１０、２０のページめくりを行うページめくり機構４６と、処理対象媒体１０、２０，３０に対して印字処理を行う印字部４７と、表示部４８と、通信部４９と、これら各処理部を制御する制御部としてのＣＰＵ（中央処理装置）５０とを備えて構成されている。
【００２０】
光学式センサ４３は、搬送路５１に配置され、搬送される処理対象媒体の位置情報を検出する機能を有する。  
入力部４４は、スイッチボタンやタッチパネルなどの入力手段を備え、ユーザによってこれらの入力手段が操作されると、この操作内容に対応した情報をＣＰＵ５０に送信する機能を有する。
【００２１】
磁気処理部４５は、搬送路５１の下方に配置され、磁気ストライプの磁気データを読み取り、また、磁気ストライプ１４、２４に最終印字行データ等を書き込む等の所定の磁気処理をする磁気ヘッド４５ａを備えている。
【００２２】
印字部４７は、処理対象媒体１０の内部ページの各印字行に取引日、取引金額、口座残額等の取引情報の印字を行う機能を有する。  
ページめくり機構４６は、複数枚の頁を有する冊子状の処理対象媒体１０の頁を捲る機能を有する。  
表示部４８は、媒体処理装置１の状態やオペレータへの各種メッセージなどを表示する機能を有する。  
通信部４９は、上位ホスト装置（不図示）との間で通信を行う機能を有する。
【００２３】
図１に示す搬送手段４２は、吸入排出口４１から続く所定の搬送経路を構成する搬送路５１と、矢印Ｘに沿う第１方向としての搬送方向Ａに処理対象媒体１０を送るための複数の対搬送ローラ５２、５２とを備えて構成されている。
【００２４】
搬送路５１の幅Ｗ０は、処理対象となる複数種類の処理対象媒体１０、２０，３０のうち、最も幅の大きい第３処理対象媒体３０のサイズに合わせて設定されており、本実施形態では、Ａ４サイズの第３処理対象媒体３０の幅Ｗ３よりも大きく設定されている。
【００２５】
搬送ローラ５２，５２は後述する搬送制御部６４の制御に応じて図中Ｙ方向に並行に延びる軸Ｃ１を中心として回転することにより、下端に当接する処理対象媒体１０を矢印Ｘに沿う第１方向としての搬送方向Ａに送る機能を有する。また、対の搬送ローラ５２，５２はソレノイド等のデバイス機構及び可動機構（不図示）により後述する搬送制御部３２の制御に応じて接離可能に構成され、クランプ開閉可能となっている。
【００２６】
図３に示すように、吸入排出口４１付近の左端には、利用者が処理対象媒体１０をセットする際に、処理対象媒体１０の左側端部１６を突き当てて位置合わせを行うためのセットガイド５５が設けられている。また、搬送路５１の左右両脇には、矢印Ｚ方向に起立した左右の固定ガイド部５６，５７が設けられている。固定ガイド部５６，５７は、吸入排出口４１近傍から搬送路５１に沿って、印字部４７の手前付近まで図中Ｘ方向に所定距離延びている。
【００２７】
また、搬送路５１の上方には、幅寄手段としての幅寄ローラ５８が設けられている。幅寄ローラ５８は、後述する幅寄制御部７２の制御に応じて、処理対象媒体１０の上面に接離可能であるとともに図中Ｘ方向に延びる中心軸Ｃ２を中心として正逆方向に回転可能に構成されている。幅寄ローラ５８は、通常は処理対象媒体１０から離れた上方に位置して搬送路５１から退避し、幅寄せ動作が必要な場合には、搬送路５１内に突出して処理対象媒体１０に接触する。幅寄ローラ５８が処理対象媒体１０の上面に当接した状態で回転することにより、処理対象媒体１０を、搬送方向Ａと直交する矢印Ｙに沿う第２方向Ｂにおいて移動させる機能を有する。すなわち、幅寄ローラ５８が時計回りに回転すると処理対象媒体１０が左側へ移動し、反時計回りＢ方向に回転すると、処理対象媒体１０が右側へ移動する。
【００２８】
搬送路５１の吸入排出口４１付近には規制部材としての可動式のシャッタ機構５９が設けられている。シャッタ機構５９は、後述するシャッタ制御部７３の制御に応じて上下方向に移動可能に構成されている。シャッタ機構５９は、処理対象媒体１０が右側へ幅寄せされる際に、通過領域の内部において、磁気処理手段との位置関係が一定となる所定位置に配置され、搬送路５１上に飛び出して壁を形成する第１状態となる。このシャッタ機構５９は、通常は、搬送路５１の下方に退避して処理対象媒体が通過する領域である通過領域の外部に退避する第２状態となっている。幅寄せ動作の際に、処理対象媒体１０の右側端部１５が、第１状態のシャッタ機構５９に突き当てられることにより、処理対象媒体１０の位置合わせが行われる。
【００２９】
シャッタ機構５９の、第２方向における位置は、対象となる複数の処理対象媒体１０，２０，３０のうち、磁気処理対象となる第１処理対象媒体１０及び第２処理対象媒体２０のうち、最も大きい幅を基準に設定される。例えば本実施形態では第１処理対象媒体１０が左側に幅寄せされた状態でセットされた際に第１処理対象媒体の右側端部１５が位置する部分よりも僅かに右側に、シャッタ機構５９が設定される。すなわち、左側のセットガイド５５や左側の固定ガイド部５６と、シャッタ機構５９との間の第２方向Ｂにおける距離は、Ｗ１よりも僅かに大きく設定されている。
【００３０】
ＣＰＵ５０の構成について図２を参照して説明する。ＣＰＵ５０は、バスライン６１を介して各部の間でデータのやり取りを制御するとともに、各部を総括的に制御する機能を有する。ＣＰＵ５０には、ＲＯＭ（リード・オンリー・メモリ）６２、ＲＡＭ（ランダム・アクセス・メモリ）６３、搬送手段４２を制御する搬送制御部６４、光学式センサ４３を制御するセンサ制御回路６５、磁気処理部４５を制御する磁気制御部６６、ページめくり機構４６を制御するめくり制御回路６７、印字部４７を制御する印字制御回路６８、表示部４８を制御する表示制御回路６９、通信部４９を制御する通信制御回路７１、幅寄ローラ５８を制御する幅寄制御部７２、シャッタ機構５９を制御するシャッタ制御部７３等が接続されている。
【００３１】
ＲＯＭ６２は、ＣＰＵ５０の動作に必要なプログラムが格納されるとともに、ＣＰＵ５０の作業領域等として使用されるメモリである。ＲＡＭ６３には、例えば光学式センサ４３で読み取られた処理対象媒体１０，２０，３０の位置情報等が一時的に格納される。
【００３２】
次に、本実施形態にかかる媒体処理装置１のＣＰＵ５０における制御工程について図９のフロー図を参照して説明する。  
まずステップ１１（ＳＴ１１）において、ユーザによって処理対象媒体１０が吸入排出口４１にセットされる。このとき、図３に破線で示すように、処理対象媒体１０の左側端部１６を吸入排出口４１近傍のセットガイド５５に突き当てた状態で挿入される。処理対象媒体が吸入排出口４１に挿入されると、搬送制御部６４の制御に応じて搬送ローラ５２，５２が閉じて処理対象媒体１０を挟んだ状態で回転駆動される（ＳＴ１２）。この回転駆動により処理対象媒体１０が装置内部へ吸入され、搬送路５１上において、所定の搬送経路に沿って搬送される。このとき、処理対象媒体１０は搬送路５１の左端に位置した状態で搬送される。
【００３３】
ついで、例えば予め入力部４４に入力された処理業務種やオペレータの操作により決定されている情報により、挿入された処理対象媒体１０について磁気処理が必要か否かが判定される（ＳＴ１３）。例えば入力部４４において通帳操作が選択されている場合や、図示しない磁気センサで磁気ストライプを検知した場合等には、磁気処理が必要であると判定される。
【００３４】
ここで、処理対象が、例えば第１処理対象媒体１０のように磁気ストライプを有する磁気処理対象媒体である場合にはシャッタ機構５９が、搬送路５１上に飛び出して壁を形成する第１状態となる。
【００３５】
ついで、この状態で右側に幅寄せを行う（ＳＴ１５）。ここでは、まず、搬送制御部６４の制御により、対の搬送ローラ５２，５２を開状態として、保持していた処理対象媒体１０を開放する。開放後に、幅寄制御部７２により幅寄ローラ５８を搬送路に突出させ、処理対象媒体１０の上面に接触させる。この接触状態で幅寄ローラ５８を図４中に矢印で示すように反時計回りに回転する。この回転により処理対象媒体１０が第２方向に沿って右側（他方側）へ移動する。所定箇所まで移動すると、処理対象媒体１０の右側端部１５がシャッタ機構５９へ突き当てられ、停止する。以上により処理対象媒体１０の右側端部１５を基準として幅寄せされ、第２方向における磁気ヘッド４５ａと磁気ストライプ１４と位置合わせが完了する。位置合わせ後、シャッタ機構５９を下方に移動して通過領域から退避させて第２状態とすることにより、位置の規制を解除する。
【００３６】
ついで、処理対象媒体１０の磁気ストライプ１４に対して磁気処理を行う（ＳＴ１６）。ここでは、処理対象媒体１０が右側に位置合わせされた状態で、搬送ローラ５２，５２のクランプを閉じて処理対象媒体１０を保持するとともに、搬送ローラ５２，５２を回転駆動して、処理対象媒体を搬送方向Ａへ移動させる。搬送により磁気ストライプ１４が、磁気ヘッド４５ａに対応する所定の位置に設定されたら、磁気ヘッド４５ａが磁気ストライプ１４を通過する移動タイミングに合わせて磁気ストライプ１４に対して磁気情報の読み取り及び書き込み処理が行われる。磁気ヘッド４５ａにおいて読み取った情報は、表示部４８で通知される。
【００３７】
磁気処理の終了後、読み込みの情報に問題が無ければ（オペレータの追加処理が必要で無ければ）、左側に幅寄せを行う（ＳＴ１７）。ここでは、まず、搬送制御部６４の制御により、対の搬送ローラ５２，５２を開状態として、保持していた処理対象媒体１０を開放する。開放後に、幅寄制御部７２により幅寄ローラ５８を搬送路に突出させ、処理対象媒体１０の上面に接触させる。この接触状態で幅寄ローラ５８を図４中の矢印と逆方向の時計回りに回転する。この回転により処理対象媒体１０が第２方向に沿って左側（一方側）へ移動する。所定箇所まで移動すると、処理対象媒体１０の左側端部１６が左側の固定ガイド部５６へ突き当てられ、停止する。以上により処理対象媒体１０が左側端部１６を基準として幅寄せされる。
【００３８】
この状態で再度搬送手段４２を駆動して処理対象媒体１０を搬送方向Ａにそって印字位置まで送るとともに、印字部４７において処理対象媒体１０に対して印字処理が行われる（ＳＴ１８）。
【００３９】
印字処理の終了後、最終データを磁気ストライプ１４に書き込むために、再度シャッタ機構５９を第１状態とするとともに（ＳＴ１９）、幅寄ローラ５８を処理対象媒体に当接して回転させ、右側端部への位置合わせを行う。この位置合わせにより、磁気ストライプ１４が磁気ヘッド４５ａに対応する所定位置に到達する。位置合わせ終了後に、シャッタ機構５９を下方に移動して通過領域から退避させる（ＳＴ２０）。
【００４０】
この状態で、搬送ローラ５２，５２のクランプを閉じて処理対象媒体１０を保持するとともに、搬送ローラ５２，５２を回転駆動して、処理対象媒体を搬送方向Ａへ移動させるとともに、磁気ヘッド４５ａが磁気ストライプ１４を通過する移動タイミングに合わせて磁最終データの書き込み処理が行われる（ＳＴ２１）。
【００４１】
印字処理及び磁気処理の終了後、搬送手段４２を上記搬送方向Ａと逆方向に搬送させることで、処理対象媒体１０を吸入排出口４１へ送り、吸入排出口４１から排出させる（ＳＴ２２）。処理対象媒体を吸入排出口４１へ排出した後、搬送用の搬送ローラ５２，５２のクランプを外して処理が完了する。
【００４２】
ここで、排出された処理対象媒体位置は処理対象媒体右側が突き当てシャッタの位置になっており、挿入時と異なる位置と異なっているが、必要な処理は完了しており、オペレータは処理対象媒体を取り除くだけなので操作上の問題とはならない。
【００４３】
また、図５または図６に示されるように処理対象媒体が、処理対象媒体２０である場合にも、同様の制御が行われる。このとき、ｄ１とｄ２とが等しいため、第１処理対象媒体１０と第２処理対象媒体２０磁気ストライプは同位置に設定される。
【００４４】
一方、ＳＴ１３において、処理対象媒体が、例えば処理対象媒体３０などの磁気ストライプを備えない処理対象媒体である場合には、まず光学式センサ４３で検出される処理対象媒体の位置情報に基づき、処理対象媒体３０が、左側を基準とした所定位置から外れているかどうか、例えばスキューが発生しているかどうかが判断される（ＳＴ２３）。
【００４５】
ＳＴ２３でスキューが有ると判断された場合には、左側への幅寄が行われる（ＳＴ２４）。ここでは、まず、搬送ローラ５２，５２のクランプを外して処理対象媒体３０を開放した状態で、幅寄ローラ５８を処理対象媒体３０に当接させて時計回りに回転させ、処理対象媒体３０が左側へ移動させる。このとき、左側端部１６が左側の固定ガイド部５６の内側面へ突き当てられることにより、処理対象媒体３０の移動が停止し、処理対象媒体３０の左側を基準とした整列が完了する。
【００４６】
整列完了後に搬送ローラ５２，５２のクランプを閉じて処理対象媒体３０を保持し、ＳＴ１７と同様に印字処理を行い（ＳＴ２５）、印字処理終了後に、ＳＴ２２と同様に処理対象媒体３０を排出する（ＳＴ２６）。
【００４７】
一方、ＳＴ２３で、スキューが発生していないと判定された場合には、左側への幅寄せをすることなく、ＳＴ２５及びＳＴ２６の処理を行う。
【００４８】
本実施形態にかかる媒体処理装置１によれば次の効果が得られる。すなわち、処理対象媒体が磁気ストライプ１４，２４を有するか否かに応じて通過領域内部及び外部で移動可能なシャッタ機構５９を用いることにより高い汎用性を確保しつつ、容易、かつ、精度よく、磁気ストライプの位置合わせができる。挿入時にセットガイド５５に突き当てられる左側端部１６と、反対側の右側端部１５をシャッタ機構５９に合わせて幅寄せを行う構成としたため、操作性のためのセット位置と、磁気ストライプの形成基準位置とが異なる場合にも対応することができる。また、シャッタ機構５９を通過領域から退避させることができるとともに、処理対象媒体が磁気処理対象でない場合には幅寄せ処理及び磁気処理工程を省略するため、磁気処理対象でない処理対象媒体３０の処理を妨げることがない。さらに、磁気処理対象となる処理対象媒体の端部位置に合わせてシャッタ機構５９を配置したため、幅寄せの際の移動距離を短くすることができ、したがって、位置合わせ精度を向上することができる。さらに、スキューがある場合に幅寄ローラ５８を用いて位置合わせをする構成としたため、１つの幅寄ローラを用いて複数箇所への位置合わせを行うことが可能となり、構造を単純化しつつ、処理精度を向上することができる。
【００４９】
なお、本発明は、上記各実施形態に限られるものではない。例えば上記実施形態では上下方向に移動可能なシャッタ機構５９を例示したが、図１０に示すように、横臥、起立可能な第２のシャッタ機構７５を用いてもよい。この場合、図１０にて実線で示す起立状態が第１状態となり、この第１状態において処理対象媒体の位置を規制する。また、図１０にて破線で示す横臥状態が第２状態となり、この第２状態では、処理対象媒体の搬送に影響を与えないように通過領域から退避している。また、上記実施形態においては磁気処理を２回行う工程について例示したが、図１１のフロー図に示すように、必要な磁気データの読込及び書込処理を一度の磁気処理工程で行ってもよい。
【００５０】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５１】
【図１】本発明の第１実施形態にかかる媒体処理装置の構成を概略的に示す側面図。
【図２】同媒体処理装置のＣＰＵの構成を示すブロック図。
【図３】同媒体処理装置の第１処理対象媒体の処理工程を示す平面図。
【図４】同媒体処理装置の第１処理対象媒体の処理工程を示す正面図。
【図５】同媒体処理装置の第２処理対象媒体の処理工程を示す平面図。
【図６】同媒体処理装置の第２処理対象媒体の処理工程を示す正面図。
【図７】同媒体処理装置の第３処理対象媒体の処理工程を示す平面図。
【図８】同媒体処理装置の第３処理対象媒体の処理工程を示す正面図。
【図９】同媒体処理装置の処理工程を示すフローチャート。
【図１０】他の実施形態にかかる媒体処理装置の構成を概略的に示す正面図。
【図１１】他の実施形態にかかる媒体処理装置の処理工程を示すフローチャート。
【符号の説明】
【００５２】
１…媒体処理装置、１０…第１処理対象媒体（処理対象媒体）、１４．２４…磁気ストライプ、１５…右側端部、１６…左側端部、２０…第２処理対象媒体（処理対象媒体）、２５…右側端部、３０…第３処理対象媒体（処理対象媒体）、４１…吸入排出口、４２…搬送手段、４５…磁気処理部、４６…ページめくり機構（処理部）、４７…印字部（処理部）、５０…ＣＰＵ（制御手段）、５１…搬送路、５２…搬送ローラ、５５…セットガイド、５６．５７…固定ガイド部、５８…幅寄ローラ（幅寄手段）、５９…シャッタ機構（規制部材）、６４…搬送制御部、７２…幅寄制御部、７３…シャッタ制御部、７５…第２のシャッタ機構（起立部材）。
【図１】
2008310592.tif 000003
【図２】
2008310592.tif 000004
【図３】
2008310592.tif 000005
【図４】
2008310592.tif 000006
【図５】
2008310592.tif 000007
【図６】
2008310592.tif 000008
【図７】
2008310592.tif 000009
【図８】
2008310592.tif 000010
【図９】
2008310592.tif 000011
【図１０】
2008310592.tif 000012
【図１１】
2008310592.tif 000013